(57)【特許請求の範囲】
【請求項１】
透光性を有する導光体と、この導光体の裏面に設けた反射部材と、前記導光体の少なくとも１側面に近設されてこの導光体を照光する光源部とを備え、前記導光体の裏面において、その発光領域の外縁部に略平行に、前記光源部側外縁部以外の全周囲に渡って断面略凹状溝部を設けたバックライト装置において、
前記断面略凹状溝部は、光源部を備えていない側面については、光源部から遠ざかるほどに深さを深くし、光源部を備えていない光源部の対面については、中央部を浅く、かつ、該中央部両端を深く構成したことを特徴とするバックライト装置。
【請求項２】
透光性を有する導光体と、この導光体の裏面に設けた反射部材と、前記導光体の少なくとも１側面に近設されてこの導光体を照光する光源部とを備え、前記導光体の裏面において、その発光領域の外縁部に略平行に、前記光源部側外縁部以外の全周囲に渡ってスリット部を設けると共に、
前記導光体の裏面に設けられた反射部材は反射シートであって前記導光体の面積よりも広くなるように構成して光源部側外縁部以外の端縁に張出し端縁部を設け、前記張出し端縁部を略直角に立設させて反射片部を形成し、この反射片部を前記スリット部に遊挿させたことを特徴とするバックライト装置。
【請求項３】
透光性を有する導光体と、この導光体の裏面に設けた反射部材と、前記導光体の相対する２側面に近設されてこの導光体を照光する光源部とを備え、前記導光体の裏面において、その発光領域の外縁部に略平行に、前記光源部側外縁部以外の全周囲に渡ってスリット部を設けると共に、
前記導光体の裏面に設けられた反射部材は反射シートであって前記導光体の面積よりも広くなるように構成して光源部側外縁部以外の端縁に張出し端縁部を設け、前記張出し端縁部を略直角に立設させて反射片部を形成し、この反射片部を前記スリット部に遊挿させたことを特徴とするバックライト装置。
【発明の詳細な説明】
【０００１】
【発明の属する技術分野】
本発明は、移動無線機や携帯電話機などの無線機に好適なバックライト装置に関するものである。
【０００２】
【従来の技術】
近年、移動無線機はもちろん特に携帯電話機などは、携帯性重視のため小形化、軽量化が望まれており、形状も種々工夫されている。また、本体の薄型化が商品としての魅力の重要な要因の一つとなっている。従って、これに伴いこの種の表示パネル部の照光装置であるバックライト装置についても、本体と同様に小形化、薄型化、軽量化が進んでいる。
【０００３】
図１７は携帯電話機を表した斜視図である。図１７において、無線機本体の筺体は上ケース２０、下ケース２１により構成されており、その内部に配置する回路基板１と、これに平行に載置された表示パネル部としての液晶表示装置２と、この液晶表示装置２の裏面側に配置し、この液晶表示装置２を保持・固定し且つ照光させるための導光体であるバックライト４と、このバックライト４を照光させるための光源３と、液晶表示装置２を駆動させるための集積回路２２を搭載し、液晶表示装置２と回路基板１とを接続するためのフレキシブル回路基板２３と、上ケース２０に貼着されたパネル２４とによって構成されている。
【０００４】
図１８は、光源３に発光ダイオードであるＬＥＤ素子２５が複数封着されたＬＥＤ基板２６を用いた場合のバックライト装置の構成である。液晶表示装置２はバックライト４に保持・固定されている。このバックライト４は、略長方形を呈しており、その長辺のうち一辺に光源３が設けられ、液晶表示装置２を保持・固定するためのホルダー２７とＬＥＤ基板２６からの出射光を導光させるための導光板２８とによって構成され、ＬＥＤ基板２６はその発光部を液晶表示装置２の発光面側内側に向けた状態で、ホルダー２７と導光板２８との間に貼着されており、接続用の端子２６−ａと回路基板１の接続ランド１−ａとはハンダ付けなどによって接続されている。ホルダー２７は白系に着色されており、導光板２８の各端縁側側面部から漏れる光を内側に反射させている。また、バックライト４と回路基板１との位置決めは、バックライト４側の位置決めピン１９を、回路基板１側の位置決め穴１−ｂに挿入することにより行われる。
【０００５】
また、従来装置として、図１８のバックライト４を構成するホルダー２７と導光板２８とが一体となったものも存在していた。
【０００６】
さらに、図１９乃至図２１に示すようなものがあり、図１９は、図１８におけるホルダー２７と導光板２８が一体となってバックライト４を構成されているものであるが、このバックライト４に、液晶表示装置２がリブ９及び固定爪１０などによって保持・固定されている。バックライト４は、略長方形を呈しており、その両短辺の端縁部には、それぞれ液晶表示装置２の発光面方向に向けて光源３であるＬＥＤ素子２５が封着されたＬＥＤ基板２６が貼着されており、回路基板１にハンダ付けによって接続されている。バックライト４の裏面には白色に着色された反射シート５が貼着されている。バックライト４と回路基板１との位置決めは、位置決めピン１９と位置決め穴１−ｂとで行うこと図１８の場合と同様である。
【０００７】
図２０に示すものは、バックライト４の光源として回路基板１に表面実装された発光ダイオードであるチップＬＥＤ２９を用いた場合であり。また、図２１は、前記チップＬＥＤ２９を、略長方形を呈するバックライト４の両短辺の端縁部から発光させるように構成したもので、その他の構成については図１９の例とほぼ同じである。
【０００８】
【発明が解決しようとする課題】
従って、図１８に示すものの場合には、ＬＥＤ基板２６は、ＬＥＤ素子２５をプリント基板上に熱硬化性樹脂等によって複数個封着させたもので、組立工数がかかり、高コストの部品であるといえる。また、ＬＥＤ基板２６を導光板２８に貼着させた後、ホルダー２７に組み込むといった手間のかかる作業となるため、組立工数がかかってしまう。また、ＬＥＤ基板２６、ホルダー２７、導光板２８を組立てたバックライト４を回路基板１上へ配置する際に、ＬＥＤ基板２６の接続端子２６−ａと回路基板１とをハンダ付けなどによって機械的、電気的に接続させる必要があるため作業性が悪く、ここでも組立工数がかかってしまう。また、ＬＥＤ基板２６、ホルダー２７、導光板２８といった構成部品が多いため、バックライト４としての部品コストも上昇してしまう。また、ホルダー２７の材質としての樹脂を用いているために、その肉厚が成形性を考慮するとある程度必要となるので、ホルダー２７の底面の肉厚と導光板２８の肉厚とが二重になってしまうため、バックライト４としての薄型化、軽量化を妨げている。
【０００９】
次に、図１８の変形例としてのホルダー２７と導光板２８とが一体となってバックライト４を構成し、このバックライト４の長辺側の一辺の端縁部に複数個のＬＥＤ素子を封着させたＬＥＤ基板２５を貼着させた場合では、バックライト装置の材料としては、透明の樹脂を用いるため、ＬＥＤ基板による光源の近傍では高輝度が得られるが、光源から離隔するに従って、輝度が低下してしまう。そして、バックライト４の光源と反対側端縁部からは光源から導光してきた光が外へ漏れていってしまう。また、ＬＥＤ基板２６の発光指向性によって光源近傍の各ＬＥＤ素子間で極端に輝度が落ちてしまい、全体として輝度の低下及び輝度ムラが発生してしまう。また、ＬＥＤ基板２６をバックライト４に貼着させ且つ回路基板１とはハンダ付け等によって固定・接続させるため非常に作業性が悪く量産性に乏しくなってしまう。また、ＬＥＤ基板２６はコストが高いため、バックライト４としての部品コストも高くなってしまう。
【００１０】
図１９に示すように、バックライト４の端辺両端縁部にＬＥＤ基板２６を貼着させた場合では、輝度、輝度ムラともに改善されているのであるが、ＬＥＤ基板２６を２個使用するため、バックライト装置としての部品単価は高くなってしまう。また、ＬＥＤ基板２６を２個使用するため、バックライト４としての部品単価は非常に高くなってしまう。また、ＬＥＤ基板２６の回路基板１への接続では、ハンダ付け箇所が増加するため、片側発光方式（図１８の場合）に比べて作業性が悪く工数も増えてしまうため、製造コストの上昇を引き起こしてしまう。また、ロボットによる自動組立も非常に難しく、量産性に乏しく、作業能率も悪くなってしまう。
【００１１】
次に、ホルダー２７と導光板２８とが一体となったバックライト４と、光源３に表面実装可能なチップＬＥＤ２９を回路基板１上に実装した図２０に示す場合では、バックライト４の材料が、図１８の変形例の場合と同様、透明樹脂のため光源のチップＬＥＤ２９から発光した光はチップＬＥＤと反対側端縁部から外に逃げてしまい、バックライト４として十分な輝度を得ることができない。
【００１２】
また、図２０の他に、図２１の場合を含めて、チップＬＥＤ１９を光源として使用する場合、光源から遠い部分やチップＬＥＤの発光指向性の範囲外の部分は暗くなってしまい、輝度の必要な所要の発光領域内において、輝度ムラとなって現れるため、暗所における液晶表示装置の視認性を著しく低下させてしまう。
【００１３】
また、上記従来例に共通の問題点として、バックライト装置に液晶表示装置を保持・固定するために設けられている固定リブ、固定爪或いは回路基板１などとの位置決めのために設けられた位置決めピン等の外形形状の凸凹部が形成されると、その付近では、光源からの光が固定リブ、固定爪等に反射して乱反射を起こし、所要の発光領域内に反射光が侵入してしまい、その部分が強く発光するために、輝度バラツキや輝度ムラを発生させてしまうことが考えられる。
【００１４】
本発明は、上記従来の問題点を解決するものであり、簡素化された構造で、外形形状に影響されず、高輝度で且つ輝度バラツキや輝度ムラの少ないバックライトを実現でき、軽量化や組立性にも優れた無線機用のバックライト装置を提供するものである。
【００１５】
【課題を解決するための手段】
本発明は、上記目的に鑑み、透光性を有する導光体と、この導光体の裏面に設けた反射部材と、前記導光体の少なくとも１側面に近設されてこの導光体を照光する光源部とを備え、前記導光体の裏面において、その発光領域の外縁部に略平行に、前記光源部側外縁部以外の全周囲に渡って断面略凹状溝部を設けたバックライト装置において、前記断面略凹状溝部は、光源部を備えていない側面については、光源部から遠ざかるほどに深さを深くし、光源部を備えていない光源部の対面については、中央部を浅く、かつ、該中央部両端を深く構成したことを特徴とするバックライト装置を提供するものである。また、透光性を有する導光体と、この導光体の裏面に設けた反射部材と、前記導光体の少なくとも１側面に近設されてこの導光体を照光する光源部とを備え、前記導光体の裏面において、その発光領域の外縁部に略平行に、前記光源部側外縁部以外の全周囲に渡ってスリット部を設けると共に、前記導光体の裏面に設けられた反射部材は反射シートであって前記導光体の面積よりも広くなるように構成して光源部側外縁部以外の端縁に張出し端縁部を設け、前記張出し端縁部を略直角に立設させて反射片部を形成し、この反射片部を前記スリット部に遊挿させたことを特徴とするバックライト装置を提供するものである。さらに、透光性を有する導光体と、この導光体の裏面に設けた反射部材と、前記導光体の相対する２側面に近設されてこの導光体を照光する光源部とを備え、前記導光体の裏面において、その発光領域の外縁部に略平行に、前記光源部側外縁部以外の全周囲に渡ってスリット部を設けると共に、前記導光体の裏面に設けられた反射部材は反射シートであって前記導光体の面積よりも広くなるように構成して光源部側外縁部以外の端縁に張出し端縁部を設け、前記張出し端縁部を略直角に立設させて反射片部を形成し、この反射片部を前記スリット部に遊挿させたことを特徴とするバックライト装置を提供するものである。
【００１７】
【発明の実施の形態】
請求項１に記載の発明は、透光性を有する導光体と、この導光体の裏面に設けた反射部材と、前記導光体の少なくとも１側面に近設されてこの導光体を照光する光源部とを備え、前記導光体の裏面において、その発光領域の外縁部に略平行に、前記光源部側外縁部以外の全周囲に渡って断面略凹状溝部を設けて構成するものであり、簡素化された構成で、外形形状の影響を受けずに所要の発光領域で高輝度が得られ、且つ輝度バラツキや輝度ムラの補正を発光面の全面に渡って細かく調整することができる。
【００１８】
請求項２に記載の発明は、透光性を有する導光体と、この導光体の裏面に設けた反射部材と、前記導光体の相対する２側面に近設されてこの導光体を照光する光源部とを備え、前記導光体の裏面において、その発光領域の外縁部に略平行に、前記光源部側外縁部以外の全周囲に渡って断面略凹状溝部を設けて構成するもので、簡素化された構成で、外形形状の影響を受けずに所要の発光領域で高輝度が得られ、且つ輝度バラツキや輝度ムラを低減できる。
【００１９】
請求項３に記載の発明は、前記断面略凹状溝部の深さが変化して構成するもので、所要の発光領域で輝度バラツキや輝度ムラの補正を発光面の全面に渡って細かく調整することができる。
【００２０】
請求項４に記載の発明は、透光性を有する導光体と、この導光体の裏面に設けた反射部材と、前記導光体の少なくとも１側面に近設されてこの導光体を照光する光源部とを備え、前記導光体の裏面において、その発光領域の外縁部に略平行に、前記光源部側外縁部以外の全周囲に渡ってスリット部を設けて構成するもので、簡素化された構成で、外形形状の影響を受けずに所要の発光領域で高輝度が得られ、且つ輝度バラツキや輝度ムラを低減できる。
【００２１】
請求項５に記載の発明は、透光性を有する導光体と、この導光体の裏面に設けた反射部材と、前記導光体の相対する２側面に近設されてこの導光体を照光する光源部とを備え、前記導光体の裏面において、その発光領域の外縁部に略平行に、前記光源部側外縁部以外の全周囲に渡ってスリット部を設けて構成するもので、簡素化された構成で、外形形状の影響を受けずに所要の発光領域で高輝度が得られ、且つ輝度バラツキや輝度ムラを低減できる。
【００２２】
請求項６に記載の発明は、透光性を有する導光体と、この導光体の裏面に設けた反射部材と、前記導光体の少なくとも１側面に近設されてこの導光体を照光する光源部とを備え、前記導光体の裏面において、その発光領域の外縁部に略平行に、前記光源部側外縁部以外の全周囲に渡ってスリット部を設けると共に、前記反射部材の前記光源側以外の端縁部を略直角に立設させて反射片部を形成し、この反射片部を前記スリット部に遊挿させて構成するもので、簡素化された構成で、外形形状の影響を受けずに所要の発光領域で高輝度が得られ、且つ輝度バラツキや輝度ムラの補正を発光面の全面に渡って細かく調整することができる。
【００２３】
請求項７に記載の発明は、透光性を有する導光体と、この導光体の裏面に設けた反射部材と、前記導光体の相対する２側面に近設されてこの導光体を照光する光源部とを備え、前記導光体の裏面において、その発光領域の外縁部に略平行に、前記光源部側外縁部以外の全周囲に渡ってスリット部を設けると共に、前記反射部材の前記光源側以外の端縁部を略直角に立設させて反射片部を形成し、この反射片部を前記スリット部に遊挿させて構成するもので、簡素化された構成で、外形形状の影響を受けずに所要の発光領域で高輝度が得られ、且つ輝度バラツキや輝度ムラの補正を発光面の全面に渡って細かく調整することができる。
【００２４】
次に、本発明の実施の形態を図１乃至図１４を用いて説明する。なお、従来例と同一部材には同一符号を付して説明を省略する。
【００２５】
（実施の形態１）
図１は、本発明の実施の形態１によるバックライト装置の構成を示したものである。図１に示すが如く、液晶表示装置２を保持・固定するためのホルダー２７と液晶表示装置２を照光させるための導光体である導光板２８とが一体に形成された略長方形のバックライト４と、このバックライト４の裏面には、反射シート５が貼着されている。ここで、この反射シート５は通常白色に着色されているが、これに限らず他の色調でも使用可能である。
【００２６】
また、回路基板１には、光源３としてのチップＬＥＤ２９が表面実装されている。バックライト４は、液晶表示装置２を保持・固定可能なように、４辺に箱状のリブ９が設けられており、その中の一辺には、液晶表示装置２を固定するために先端が内方に折曲された固定爪１０が立設している。バックライト４の裏面には、チップＬＥＤからの光を反射させ、バックライト４の所要の範囲を効率よく照光させるための光を反射シート５が貼着されている。
【００２７】
バックライト４の両短片には、回路基板１にバックライト４を持着させるための先端が内方に折曲されたバックライト固定爪１１が突設されている。回路基板１には、バックライト４を照光させるための光源であるチップＬＥＤ２９がバックライト４の短辺の入光部１２の近傍に位置するように表面実装されている。ここで、チップＬＥＤは回路基板１と平行でバックライト４の入光部１２に向かって照光する側面発光型が望ましい。バックライト４には、所要の発光範囲を示す発光領域１３が設定されており、この発光領域１３内で所要の輝度及び所要限度内の輝度バラツキ、輝度ムラが得られるように、ＬＥＤ２９の位置、電流値或いはバックライト４の入光部の形状等を決定する。また、バックライト４の裏面には、発光領域１３の外周縁に沿って略平行に、断面略凹状溝部６が設けられており、この断面略凹状溝部６の内壁面はチップＬＥＤより出射された出射光１４を効率よく全反射させるために鏡面に形成されている。
【００２８】
次に、上記実施の形態における動作について、図２乃至図５を用いて説明する。図２乃至図４において、チップＬＥＤ２９から発光した出射光１４は、バックライト４の入光部１２よりバックライト４内に入光し、発光領域１３内を通過してゆき、先ず断面略凹状溝部６の端縁壁面１５で一部反射１６される。この反射光１６は発光領域１３内に再度入光する。このとき、図３に示すように反射光１６は断面略凹状溝部６で、発光領域１３の長辺部に位置する長辺部側断面略凹状溝部６−ａ及び６−ｃにおいてそれぞれ反射光１６−ａ及び１６−ｃのような反射光が得られる。また、光源３と相対する短辺部に位置する短辺部側断面略凹状溝部６−ｂにおいては、反射光１６−ｂのような反射光が得られる。反射されなかった通過光１７（１７ーａ，１７−ｂ，１７−ｃ）はさらに外側へ進行し、バックライト４の外形端縁部から外に放射される。断面略凹状溝部６で反射した反射光１６（１６−ａ，１６−ｂ，１６−ｃ）は、発光領域１３内へ再入光する。
【００２９】
従って、この実施の形態によれば、発光領域１３の外縁部の略平行方向で、光源３側外縁部以外の周囲に渡って断面略凹上溝部６を設けることにより、図１に示すようなバックライト４が液晶表示装置２を保持・固定可能な固定爪やリブ９、或いは位置決めピン１９などといった複雑な形状をしている構成物が存在する場合でも、これらの構成物によって発生する乱反射の影響を受けずに発光領域１３の輝度を高めると共に、輝度バラツキや輝度ムラを改善し、均一な輝度を得ることができる。
【００３０】
また、発光領域１３の輝度が向上すると共に、通常光源３から遠くなればなるほど、発光領域１３の輝度は低くなってしまうが、断面略凹状溝６を発光領域の周囲に設けたことにより、この反射光１６が発光領域１３の低輝度の領域を改善する。
【００３１】
さらに、液晶表示装置２を保持・固定するためのホルダー２７と、液晶表示装置２を照光させるための導光部である導光体２８とを一体化させたことにより、バックライト４としての部品の構成を簡素化できると共に、部品の厚みも導光板２８の厚みのみとなり、薄型化が可能である。また、断面略凹状溝６の体積分が肉ヌスミとなるため、軽量化に非常に有効である。
【００３２】
なお、バックライト４の材質としては、透明ＰＣ、ＰＭＭＡ、ＡＢＳ、ＰＣ／ＡＢＣアロイ、ＰＳ，ＰＰなどで、できるだけ透明なものが好ましい。また、断面略凹状溝６の深さはバックライト４の導光体２８の厚さｔに対して、０．２ｔ〜０．５ｔが望ましい。ただし、板厚ｔ自体が薄い場合、例えば、ｔ＝０．８以下の場合では、断面略凹状溝６をあまり深くしてしまうと、残りの肉厚が薄くなり成形性に支障を来す場合があるので、この点を考慮して調整を図ることが必要である。
【００３３】
なお、本実施の形態１では、図３のように、光源３がバックライト４の一短辺の近傍に設けられた場合について説明したが、光源３がバックライト４の一長辺の近傍に設けられた場合でも同様な効果が得られる。
【００３４】
前述の断面略凹状溝６の深さは一定として説明したが、図５に示す場合は、断面略凹状溝６の深さを発光領域１３の外縁部で変化している場合を示している。
【００３５】
図５に示すごとく、バックライト４の片側短辺部近傍には、チップＬＥＤ２９と、このチップＬＥＤ２９からの出射光１４をバックライト４の導光部へ導光するための入光部１２が設けられており、この入光部１２以外の位置で発光領域１３の外周に沿って断面略凹状溝部６が設けられており、その深さが全周に渡って変化している。
【００３６】
この図５の場合、チップＬＥＤ２９から発光した出射光１４はバックライト４の入光部１２よりバックライト４内に入光し、発光領域１３内を通過してゆき、断面略凹状溝６の端縁壁面１５（図４参照）で一部反射される。ここでもともとの発光領域１３内に部分的な輝度バラツキや輝度ムラをなくす必要がある。そこで、図５（２）（３）に示すように、断面略凹状溝６の深さを部分的に変化させることにより、輝度ムラの補正を可能にすることができる。即ち、出射光１４はバックライト４の入光部１２よりバックライト４内に入光し、発光領域１３内を通過してゆき、断面略凹状溝６の端縁壁面１５で一部反射される。ここで、断面凹状溝６は図５（２）（３）のように、その深さをｃからｄへ（ここでｃ＜ｄである）、またｄからｅへ（ｅ＜ｄである）と変化させて形成する。この結果、この反射光１６は断面略凹状溝６の深さが浅い部分（ｃ或いはｅ部）では低反射となって、また深い部分（ｄ部）では高反射となって発光領域１３内に再度入光する。従って、もともと輝度が低かった部分の近傍の断面略凹状溝部６の深さを深くさせておけば、反射光１６は、発光領域１３内へ再入光する率が高いため発光領域１３の輝度が低かった部分を補正することができる。
【００３７】
従って、図５の場合、断面略凹状溝６の深さを全面に渡って変化させたことにより、輝度の補正を発光領域１３の全面に渡って細かく調整することができるので、輝度ムラやバラツキを改善することができる。
【００３８】
なお、本実施の形態では、図５のように光源３がバックライト４の一短辺の近傍に設けられた場合について説明したが、光源３がバックライト４の一長辺の近傍に設けられた場合でも同様の効果が得られる。
【００３９】
（実施の形態２）
図６は、光源部３がバックライト４の相対する２側面の近傍に設けられ、断面略凹状溝６がバックライト４の裏面で発光領域１３の外縁部で、光源３以外の相対する２辺の位置に設けられた場合を示す平面図である。
【００４０】
図６に示すごとく、バックライト４の両側短辺部近傍には、チップＬＥＤ２９と、このチップＬＥＤ２９からの出射光１４をバックライト４の導光部へ導光するための入光部１２が設けられており、この入光部１２以外の相対する２辺の位置で発光領域１３の外縁部に断面略凹状溝部６が設けられている。その他の構成は実施の形態１と同様である。
【００４１】
次に、記実施の形態２における動作について、図６を用いて説明する。チップＬＥＤ２９から発光した出射光１４は、バックライト４の入光部１２よりバックライト４内に入光し、発光領域１３内を通過してゆき、先ず断面略凹状溝部６の端縁壁面１５で一部反射１６される。この反射光１６は、発光領域１３内に再度入光する。反射されなかった通過光１７はさらに外側へ進行し、バックライト４の外形端縁部から外に放射される。断面略凹状溝部６で反射した反射光１６は、発光領域１３内へ再入光するため、発光領域１３の輝度が向上すると共に、通常光源３から遠くになればなるほど発光領域１３の輝度は低くなってしまうが、断面略凹状溝６を設けることにより、この反射光１６が発光領域１３の低輝度の領域を改善する。
【００４２】
従って、この実施の形態２によれば、バックライト４の相対する２側面の近傍に光源３が設けられ、この光源３以外の相対する２辺の位置に断面略凹状溝６を設けたことにより、液晶表示装置２を保持・固定可能な固定爪１０やリブ９、或いは位置決めピン１９などといった複雑な形状をしている構成物が存在する場合でも、これらの構成物によって発生する乱反射の影響を受けずに発光領域１３の輝度を高めると共に、輝度バラツキや輝度ムラを改善し、均一な輝度を得ることができる。
【００４３】
また、液晶表示装置２を保持・固定するためのホルダー２７と、液晶表示装置２を照光させるための導光部である導光体２８とを一体化させたことにより、バックライト４としての部品の構成を簡素化できると共に、部品の厚みも導光板２８の厚みのみとなり、薄型化が可能である。また、断面略凹状溝６の体積分が肉ヌスミとなるため、軽量化に非常に有効である。
【００４４】
なお、実施の形態２では、光源３がバックライト４の相対する短辺の近傍に設けられた場合について説明したが、光源３がバックライト４の相対する長辺の近傍に設けられる場合でも同様な効果を得られる。
【００４５】
（実施の形態３）
図７乃至図１０は、本発明の実施の形態３におけるバックライト装置の構成を示すもので、バックライト４には発光領域１３の光源３以外の外周に沿って、上記２つの実施の形態の断面略凹状溝６に代えて、スリット７が設けられており、このスリット７の内壁面１５は、鏡面になるように形成されている。図７に示すごとく、ホルダー２７と導光板２８が一体となってバックライト４を構成しており、このバックライト４の裏面には反射シート５が貼着されている。また、回路基板１には、光源３としてチップＬＥＤ２９が表面実装されている。その他、液晶表示装置２、チップＬＥＤ２９、バックライト４の構成については、実施の形態１と同様である。
【００４６】
次に、実施の形態３の動作について、図８乃至図１０を用いて説明すると、チップＬＥＤ２９から発光した出射光１４は、バックライト４の入光部１２よりバックライト４内に入光し、発光領域１３内を通過してゆき、先ずスリット７の内壁面１５で一部反射１６される。この反射光１６は、発光領域１３内に再度入光する。反射されずに通過した通過光１７はさらに外側へ進行し、バックライト４の外形端縁面から外に放射される。スリット７で反射した反射光１６は、発光領域１３内へ再入光するため、発光領域１３の輝度が向上すると共に、通常光源３から遠くなればなるほど発光領域１３の輝度は低くなってしまうが、スリット７を設けることにより、この反射光１６が発光領域１３の輝度の低い部分を改善する。
【００４７】
従って、この実施の形態３によれば、発光領域１３の外周にスリット７を設けることにより、液晶表示装置２を保持・固定可能な固定爪１０やリブ９、或いは位置決めピン１９などといった複雑な形状をしている構成物が存在する場合でも、これらの構成物によって発生する乱反射の影響を受けずに発光領域１３の輝度を高めると共に、輝度バラツキや輝度ムラを改善し、均一な輝度を得ることができる。
【００４８】
また、液晶表示装置２を保持・固定するためのホルダー２７と、液晶表示装置２を照光させるための導光部である導光体２８とを一体化させたことにより、バックライト４としての部品の構成を簡素化できると共に、部品の厚みも導光板２８の厚みのみとなり、薄型化が可能である。また、断面略凹状溝６の体積分が肉ヌスミとなるため、軽量化に非常に有効である。スリット７の幅Ｈは、０．５ｍｍ〜１ｍｍが望ましい。また、スリット７の両端縁部はスリット幅のＲを設けた方がよい。
【００４９】
なお、実施の形態３では、光源３がバックライト４の相対する短辺の近傍に設けられた場合について説明したが、光源３がバックライト４の相対する長辺の近傍に設けられる場合でも同様な効果を得られる。
【００５０】
（実施の形態４）
図１１は、光源３がバックライト４の相対する２側面の近傍に設けられ、スリット７がバックライト４の裏面で発光領域１３の外縁部で、光源３以外の相対する位置に設けられた場合であり、バックライト４の両側短辺部近傍には、チップＬＥＤ２９と、チップＬＥＤからの出射光１４をバックライト４の導光部へ導光するための入光部１２が設けられており、この入光部１２以外の２辺の位置で発光領域１３の外縁部にスリット７が設けられている。その他の構成については、実施の形態３と同様である。
【００５１】
次に、実施の形態４の動作について、図１１及び実施の形態３と同様な断面図となるため図１０を用いて説明する。
【００５２】
図１０及び図１１において、チップＬＥＤ２９から発光した出射光１４は、バックライト４の入光部１２よりバックライト４内に入光し、発光領域１３内を通過してゆき、先ずスリット７の端縁壁面１５で一部反射１６される。この反射光１６は、発光領域１３内に再度入光する。反射されずに通過した通過光１７はさらに外側へ進行し、バックライト４の外形端縁面から外に放射される。スリット７で反射した反射光１６は、発光領域１３内へ再入光するため、発光領域１３の輝度が向上すると共に、通常光源３から遠くになればなるほど発光領域１３の輝度は低くなってしまうが、スリット７を設けることにより、この反射光１６が発光領域１３の低輝度領域を改善する。
【００５３】
従って、この実施の形態４によれば、バックライト４の相対する２側面の近傍に光源３が設けられ、この光源３以外の相対する２辺の位置にスリット７を設けたことにより、液晶表示装置２を保持・固定可能な固定爪１０やリブ９、或いは位置決めピン１９などといった複雑な形状をしている構成物が存在する場合でも、これらの構成物によって発生する乱反射の影響を受けずに発光領域１３の輝度を高めると共に、輝度バラツキや輝度ムラを改善し、均一な輝度を得ることができる。
【００５４】
また、液晶表示装置２を保持・固定するためのホルダー２７と、液晶表示装置２を照光させるための導光部である導光体２８とを一体化させたことにより、バックライト４としての部品の構成を簡素化できると共に、部品の厚みも導光板２８の厚みのみとなり、薄型化が可能である。
【００５５】
なお、実施の形態４では、光源３がバックライト４の相対する短辺の近傍に設けられた場合について説明したが、光源３がバックライト４の相対する長辺の近傍に設けられる場合でも同様な効果を得られる。
【００５６】
（実施の形態５）
図１２乃至図１５は、本発明の実施の形態５におけるバックライト装置の構成を示すもので、図１２に示すごとく、ホルダー２７と導光板２８が一体となってバックライト４を構成しており、このバックライト４の裏面には反射シート５が貼着されている。また、回路基板１には、光源３としてのチップＬＥＤ２９が表面実装されている。そして、バックライト４には、発光領域１３の光源３以外の外周に沿ってスリットが設けられており、このスリット７の内壁面１５は鏡面になるように形成されている。また、光源３以外の３辺端縁部を略直角に立設させた反射片部８を有する反射シート５をバックライト４の裏面に貼着させ、この反射片部８をバックライト４に設けたスリット７に遊挿させている。その他、液晶表示装置２、チップＬＥＤ２９、バックライト４の構成については、実施の形態１と同様であるが、
次に、実施の形態５の動作について、図１３乃至図１５を用いて説明すると、チップＬＥＤ２９から発光した出射光１４は、バックライト４の入光部１２よりバックライト４内に入光し、発光領域１３内を通過してゆき、先ずスリット７の端縁壁面１５で一部反射１６される。この反射光１６は、発光領域１３内に再度入光する。反射されずに通過した通過光１７はスリット７内を進行していくが、スリット７内に遊挿されている反射シート５の反射片部８によって再度反射される。ここで反射された再反射光１８は、スリット７の端縁壁面１５から再入光し、発光領域１３内へ入射される。このとき、図１４に示すように、反射光１６はスリットで発光領域１３の長辺部に位置する長辺部スリット７−ａ及び７−ｃにおいてそれぞれ反射光１６−ａ及び１６−ｃのような反射光が得られる。また、光源３と相対する短辺部に位置する短辺部スリット７−ｂにおいては、反射光１６−ｂのような反射光が得られる。反射されなかった通過光１７−ａ，１７−ｂ，１７−ｃはさらにスリット７内を進行していくが、スリット７内の遊挿されている反射片部８−ａ，８−ｂ，８−ｃによって再反射される。ここで反射された再反射光１８−ａ，１８−ｂ，１８−ｃはスリット７の端縁壁面１５から再入光し、発光領域１３内へ入射される。これによって発光領域１３の輝度が向上すると共に、通常光源３から遠くなればなるほど発光領域１３の輝度は低くなってしまうが、スリット７及び反射片部８を設けることにより、この再反射光１８が発光領域１３の低い部分を改善する。
【００５７】
従って、この実施の形態５によれば、発光領域１３の光源以外の外周に沿ってスリット７を設け、さらに光源３以外の３辺端縁部を略直角に立設させた反射片部８を有する反射シート５をバックライト４の裏面部に貼着させ、この反射片部８をバックライト４に設けたスリット７に遊挿させたことにより、通常発光領域１３の輝度は光源３から離隔するに従って低くなってしまうが、この実施の形態５によれば、この低くなった部分の輝度を改善することができ、また、バックライト４に構成されている液晶表示装置２を保持・固定可能な固定爪やリブ９、或いは位置決めピン１９などといった複雑な形状をしている構成物が存在する場合でも、これらの構成物によって発生する乱反射の影響を受けずに発光領域１３の輝度を高めると共に、輝度バラツキや輝度ムラを改善し、均一な輝度を得ることができる。
【００５８】
また、反射シート５から立設させた反射片部８によって入射光１４を反射させるため、効率よく反射できると共に、発光領域１３の高輝度化を実現できる。
【００５９】
なお、実施の形態５では、光源３がバックライト４の１短辺の近傍に設けられた場合について説明したが、光源３がバックライト４の１長辺の近傍に設けられる場合でも同様な効果を得られる。
【００６０】
（実施の形態６）
図１６は、スリット７及び反射シート５の反射片部８をバックライト４の裏面で発光領域１３の外縁部で、光源３以外の相対する２辺の位置に設けられた場合であり、バックライト４の両側短辺部近傍には、チップＬＥＤ２９と、チップＬＥＤからの出射光１４をバックライト４の導光部へ導光するための入光部１２が設けられており、この入光部１２以外の２辺の位置で発光領域１３の外縁部にスリット７が設けられている。そして、入光部１２以外の相対する２辺の位置の端縁部を略直角に立設させた反射片部８を有する反射シート５がバックライト４の裏面部に貼着されており、この反射片部８はバックライト４に設けたスリット７に遊挿されている。その他の構成については、実施の形態５と同様である。
【００６１】
次に、実施の形態６の動作について、図１６及び実施の形態５と同様な断面図となるため図１５を用いて説明する。
【００６２】
図１５及び図１６において、チップＬＥＤ２９から発光した出射光１４は、バックライト４の入光部１２よりバックライト４内に入光し、発光領域１３内を通過してゆき、先ずスリット７の端縁壁面１５で一部反射１６される。この反射光１６は、発光領域１３内に再度入光する。反射されずに通過した通過光１７はスリット７内を進行していくが、スリット内に遊挿されている反射片部８によって再度反射される。ここで反射された再反射光１８はスリット７の端縁壁面１５から再入光し、発光領域１３内へ入射される。これによって発光領域１３の輝度が向上すると共に、通常光源３から遠くになればなるほど発光領域１３の輝度は低くなってしまうが、スリット７及び反射片部８を設けることにより、この反射光１８が発光領域１３の輝度の低い部分を改善する。
【００６３】
従って、この実施の形態６によれば、バックライト４の相対する２辺の近傍に光源３が設けられ、この光源３以外の相対する２辺の位置にスリット７を設け、さらに光源３以外の相対する２辺の端縁部を略直角に立設させた反射片部８を有する反射シート５をバックライト４の裏面部に貼着させ、この反射片部８を有するバックライト４に設けたスリット７に遊挿させたことにより、通常発光領域１３の輝度は光源３から離隔するに従って低くなってしまうが、この実施の形態６の場合も、この低くなった部分の輝度を改善することができ、また、液晶表示装置２を保持・固定可能な固定爪１０やリブ９、或いは位置決めピン１９などといった複雑な形状をしている構成物が存在する場合でも、これらの構成物によって発生する乱反射の影響を受けずに発光領域１３の輝度を高めると共に、輝度バラツキや輝度ムラを改善し、均一な輝度を得ることができる。
【００６４】
また、反射シート５から立設させた反射片部８によって入射光１４を反射させるため、効率よく反射できると共に、発光領域１３の高輝度化を実現できる。
【００６５】
なお、実施の形態６では、図１６に示すように、光源３がバックライト４の相対する短辺の近傍に設けられた場合について説明したが、光源３がバックライト４の長辺の近傍に設けられる場合でも同様な効果を得られる。
【００６６】
【発明の効果】
以上説明した本発明は、透光性を有する導光体と、この導光体の裏面に設けた反射部材と、前記導光体の少なくとも１側面に近設されてこの導光体を照光する光源部とを備え、前記導光体の裏面において、その発光領域の外縁部に略平行に、前記光源部側外縁部以外の全周囲に渡って断面略凹状溝部を設けたバックライト装置において、前記断面略凹状溝部は、光源部を備えていない側面については、光源部から遠ざかるほどに深さを深くし、光源部を備えていない光源部の対面については、中央部を浅く、かつ、該中央部両端を深く構成したことを特徴とするバックライト装置としたので、簡素化された構成で、外形形状の影響を受けずに所要の発行領域で高輝度が得られ、且つ輝度バラツキや輝度ムラを改善し、均一な輝度を得ることができる。さらに、前記導光体の裏面に設けられた反射部材を反射シートとして前記導光体の面積よりも広くなるように構成して光源部側外縁部以外の端縁に張出し端縁部を設け、前記張出し端縁部を略直角に立設させて反射片部を形成し、この反射片部を前記スリット部に遊挿させたことを特徴とするバックライト装置としたので、反射シートから立設させた反射片部で入射光を反射させるために、効率よく反射でき、所要の発光領域内の高輝度化を実現できると共に、別部品で反射させる必要もないという特段の効果を奏する。
【図面の簡単な説明】
【図１】本発明の実施の第１形態におけるバックライト装置の構成を示す分解斜視図
【図２】同要部断面図
【図３】同平面図
【図４】図２における動作を説明するための拡大図
【図５】本発明の実施の形態１の変形例を示す図で、
（１）は図３と同じ平面図
（２）は（１）のＡ−Ａ断面図
（３）は（１）のＢ−Ｂ断面図
【図６】本発明の実施の形態２におけるバックライト装置の構成を示す平面図
【図７】本発明の実施の形態３におけるバックライト装置の構成を示す分解斜視図
【図８】同要部断面図
【図９】同平面図
【図１０】図７における動作を説明するための拡大図
【図１１】本発明の実施の形態４におけるバックライト装置の構成を示す平面図
【図１２】本発明の実施の形態５におけるバックライト装置の構成を示す分解斜視図
【図１３】同要部断面図
【図１４】同平面図
【図１５】図１３における動作を説明するための拡大図
【図１６】本発明の実施の形態６におけるバックライト装置の構成を示す平面図
【図１７】従来のバックライト装置の構成を示す斜視図
【図１８】従来のバックライト装置の１態様を示す分解斜視図
【図１９】従来のバックライト装置の他の態様を示す分解斜視図
【図２０】従来のバックライト装置の更に他の態様を示す分解斜視図
【図２１】従来のバックライト装置のまた更に他の態様を示す分解斜視図
【符号の説明】
１  回路基板
２  液晶表示部
３  光源（光源部）
４  バックライト
５  反射シート（反射部材）
６  断面略凹状溝部
７  スリット
８  反射片部
１３  発光領域
２７  ホルダー
２８  導光板（導光体）
【図１】
0003624577.tif 000002
【図２】
0003624577.tif 000003
【図３】
0003624577.tif 000004
【図４】
0003624577.tif 000005
【図５】
0003624577.tif 000006
【図６】
0003624577.tif 000007
【図７】
0003624577.tif 000008
【図８】
0003624577.tif 000009
【図９】
0003624577.tif 000010
【図１０】
0003624577.tif 000011
【図１１】
0003624577.tif 000012
【図１２】
0003624577.tif 000013
【図１３】
0003624577.tif 000014
【図１４】
0003624577.tif 000015
【図１５】
0003624577.tif 000016
【図１６】
0003624577.tif 000017
【図１７】
0003624577.tif 000018
【図１８】
0003624577.tif 000019
【図１９】
0003624577.tif 000020
【図２０】
0003624577.tif 000021
【図２１】
0003624577.tif 000022